(57)【要約】【課題】天ぷら油火災が発生した際に、直接鍋等の調理器具に投入して消火することのできる消火薬剤を封入した樹脂積層体フィルムを提供する。【解決手段】本発明の樹脂積層体フィルムは、消火薬剤を封入するための樹脂積層体フィルム１０であって、該樹脂積層体フィルムは、天ぷら油に接触する側から融点の高い順に少なくとも２層に積層された複数の熱溶融性の樹脂フィルムを備えたことを特徴とする。【選択図】図１
2015037445.tif 000002
【特許請求の範囲】
【請求項１】
消火薬剤を封入するための樹脂積層体フィルムであって、
該樹脂積層体フィルムは、天ぷら油に接触する側から融点の高い順に少なくとも２層に積層された複数の熱溶融性の樹脂フィルムを備えたことを特徴とする樹脂積層体フィルム。
【請求項２】
前記樹脂積層体フィルムは、天ぷら油に接触するＢ層がｖｍＰＥＴ１２, 消火薬剤に接触するＣ層がＬＬＤＰＥ５０である２層の樹脂フィルムを備えたことを特徴とする請求項１に記載の樹脂積層体フィルム。
【請求項３】
前記樹脂積層体フィルムは、天ぷら油に接触するＡ層がＰＥＴ１２, 中間層のＢ層がｖｍＰＥＴ１２, 消火薬剤に接触するＣ層がＬＬＤＰＥ５０である３層の樹脂フィルムを備えたことを特徴とする請求項１に記載の樹脂積層体フィルム。
【請求項４】
請求項１ないし３の何れか一項に記載の樹脂積層体フィルムに、前記消火薬剤が封入された消火用具であって、前記樹脂積層体フィルムは、全ての端部周辺が熱圧着されて形成されたことを特徴とする消火用具。
【請求項５】
前記消火用具は、さらに、少なくとも一対の対応する面に均等に数ヶ所の漏出孔が設けられた紙製のケースに装填されることを特徴とする請求項４に記載の消火用具。
【請求項６】
前記消火用具は、前記紙製のケースの一面上に、蒲鉾形の浮きを備えたことを特徴とする請求項５に記載の消火用具。
【請求項７】
前記消火用具は、前記紙製ケースの一面上に、三角柱又は半円柱の浮きを備えたことを特徴とする請求項５記載に記載の消火用具。
【発明の詳細な説明】
【技術分野】
【０００１】
本発明は、火災に対応する消火用具に関する。より詳細には、天ぷら油火災が発生した際に、直接鍋等の調理器具に投入して消火することのできる消火薬剤を封入した樹脂積層体フィルムに関する。
【背景技術】
【０００２】
従来より、家庭や飲食店での天ぷら油火災に対応する消火方法として、消火薬剤である炭酸カリウム水溶液が装填された熱溶融性または熱破損性の樹脂容器を鍋に直接投入して鎮火させる方法が存在していた。
【０００３】
これは、消火薬剤と天ぷら油が反応（鹸化）し、高温の油を瞬時に不燃化するため消火を促すものであるが、比重の重い消火薬剤は容器ごと油に投入されると、反応することなく下部に流れ落ち、その場所で熱せられると、消火薬剤の水分が膨張して水蒸気爆発を起こす危険性があった。
【０００４】
この問題を解決するため、特許文献１では界面活性剤および炭酸カリウムなどを含むケン化剤に、多糖ガムなどの増粘剤を添加することにより、水蒸気爆発を起こす可能性を低減している。
【先行技術文献】
【特許文献】
【０００５】
【特許文献１】特開２００８−１１９３０３
【発明の概要】
【発明が解決しようとする課題】
【０００６】
本発明の目的は、従来の消火薬剤の成分に変更を加えることなく、熱溶融性の樹脂容器に変更を加えることにより、安価かつ安全な消火用具を提供することである。
【課題を解決するための手段】
【０００７】
前記課題を解決するために創案された請求項１の発明は、消火薬剤を封入するための樹脂積層体フィルムであって、該樹脂積層体フィルムは、天ぷら油に接触する側から融点の高い順に少なくとも２層に積層された複数の熱溶融性の樹脂フィルムを備えたことを特徴とする樹脂積層体フィルムに関する。
【０００８】
前記課題を解決するために創案された請求項２の発明は、前記樹脂積層体フィルムは、天ぷら油に接触するＢ層がｖｍＰＥＴ１２, 消火薬剤に接触するＣ層がＬＬＤＰＥ５０である２層の樹脂フィルムを備えたことを特徴とする。
【０００９】
前記課題を解決するために創案された請求項３の発明は、前記樹脂積層体フィルムは、天ぷら油に接触するＡ層がＰＥＴ１２, 中間層のＢ層がｖｍＰＥＴ１２, 消火薬剤に接触するＣ層がＬＬＤＰＥ５０である３層の樹脂フィルムを備えたことを特徴とする。
【００１０】
前記課題を解決するために創案された請求項４の発明は、請求項１ないし３の何れか一項に記載の樹脂積層体フィルムに、前記消火薬剤が封入された消火用具であって、前記樹脂積層体フィルムは、全ての端部周辺が熱圧着されて形成されたことを特徴とする。
【００１１】
前記課題を解決するために創案された請求項５の発明は、前記消火用具は、さらに、少なくとも一対の対応する面に均等に数ヶ所の漏出孔が設けられた紙製のケースに装填されることを特徴とする。
【００１２】
前記課題を解決するために創案された請求項６の発明は、前記消火用具は、前記紙製のケースの一面上に、蒲鉾形の浮きを備えたことを特徴とする。
【００１３】
請求項１ないし３の発明によって、融点の低い内側から順に樹脂積層体フィルムが融解し、内部の消火薬剤が徐々に浸み出ていくため、消火薬剤の流出速度を遅らせることができる。従って、油と消火薬剤の反応が徐々に行われ、水蒸気爆発を起こすことなく消火が可能となる。
【００１４】
請求項４の発明によって、樹脂積層体フィルムに封入された消火剤を、熱圧着された袋体の端部周辺から均等に流出させることが可能となる。
【００１５】
請求項５の発明によって、ユーザは、火災によって気が動転した状況でも、消火用具を投入しやすくなり、かつケースの穴から消火薬剤が徐々に流出することにより、油との反応がさらに確実になる。
【００１６】
請求項６の発明によって、蒲鉾形の浮きが、消火用具の鍋の下部への沈殿を遅らせる役割を果たし、消火薬剤と油との反応がさらに確実になる。
また、請求項７記載の発明によって、三角柱又は半円柱の浮きが、請求項６記載の発明と同様の役割を果たす。従来品は沈めるものであったが、より浮かせて使用することにより、反応した泡が油面の表面を素早く覆うため、通常使用時より天ぷらパック1本の消火可能油量が1.5倍〜２倍になる。
【発明の効果】
【００１７】
本発明によって、従来の消火薬剤の成分に変更を加えることなく、消火薬剤の水分が膨張して水蒸気爆発する危険性を解消し、安価かつ安全な消火用具を提供することが可能となった。
【図面の簡単な説明】
【００１８】
【図１】本発明の一実施形態に係る樹脂積層体フィルムの構成を示す図である。
【図２】本発明の一実施形態に係る消火用具の平面図である。
【図３】本発明の一実施形態に係る消火用具の斜視図である。
【図４】本発明の一実施形態に係る紙製のケースの斜視図である。
【図５】本発明の一実施形態に係る蒲鉾形浮き付き紙製ケースの斜視図である。
【発明を実施するための形態】
【００１９】
本発明の一実施形態に係る樹脂積層体フィルムの構成や機能について添付図面を参照して以下に詳細に説明する。
図１は、本発明の一実施形態に係る樹脂積層体フィルム１０の構成を示している。このように、樹脂積層体フィルム１０は、それぞれ異なる融点を有する三層の樹脂フィルム２０，３０，４０を備える。
【００２０】
樹脂フィルム２０，３０，４０は、上部から、油に接触するＰＥＴ１２（Ａ）、中間層のｖｍＰＥＴ１２（Ｂ）、消火薬剤側のＬＬＤＰＥ５０（Ｃ）の三層で構成されている。
【００２１】
なお、それぞれの樹脂フィルムの数字は、フィルムの厚さをμｍで表す。
【００２２】
ＰＥＴとは、ポリエチレンテレフタレートであり、酸成分をテレフタル酸とし、グリコール成分をエチレングリコールとした飽和の熱可塑性ポリエステルである。ポリエチレンテレフタレートは、融点約２６０℃、強度、耐熱性などに優れた結晶性高分子である。
【００２３】
ｖｍＰＥＴとは、アルミ蒸着ポリエチレンテレフタレートであり、アルミニウムを高真空状態で加熱蒸発させ、その蒸気をフィルム表面に付着させたもので、バリヤー性を向上することもできる。ｖｍＰＥＴは、ガスバリヤー性、防湿性ともに優れており、ｖｍ膜とＰＥＴとの密着強度も大きい。
【００２４】
ＬＬＤＰＥとは、直鎖状低密度（Ｌｉｎｅａｒ  Ｌｏｗ  Ｄｅｎｓｉｔｙ）ポリエチレンであり、エチレンとエチレンより炭素数の多いα―オレフィン（プロピレン、ブテン、ヘキセン、オクテン、４−メチルペンテンなど）と共重合し、短鎖分岐が導入されるため、密度の低いポリエチレンとなる。融点は約１２０℃である。
【００２５】
以上の構成とすることで、融点の最も低い消火薬剤側のＬＬＤＰＥ５０が最初に溶融し、次に、融点がＬＬＤＰＥ５０より高く、ＰＥＴ１２より低い中間層のｖｍＰＥＴ１２が溶融し、最後に融点の最も高い天ぷら油側のＰＥＴ１２が溶融するため、消火薬剤を徐々に流出させることができる。
【００２６】
また、本発明の樹脂積層体フィルムを、Ａ層のＰＥＴ１２を除き、油に接触する側をｖｍＰＥＴ１２（Ｂ）、消火薬剤側をＬＬＤＰＥ５０（Ｃ）の樹脂フィルム３０，４０の二層とする構成としてもよい。
【００２７】
図２および図３は、本発明の一実施形態に係る消火用具１００を示す図である。本発明の実施形態では、上記に示した順に積層した長方形状の樹脂積層体フィルム１０を２組用意し、それぞれの樹脂積層体フィルム１０の間に、端部周辺１１０を残し、消火薬剤を封入する。消火薬剤が封入された部分が、図２および図３に示す消火薬剤封入部１２０である。ここでは、全ての端部周辺１１０、即ち四辺を熱圧着する構成である。
【００２８】
また、別の実施形態において、上記に示した順に積層された四角形状の樹脂積層体フィルム１０を半分に折り返して袋状に形成し、消火薬剤を封入した後、端部周辺１１０を全て熱圧着する構成としてもよい。この形態においては、折り返した辺は熱圧着させなくとも袋体を形成することができるが、全ての端部周辺１１０を圧着させることで、樹脂積層体フィルム１０の内部の消火薬剤の流出を均等に保つことが可能となる。
【００２９】
以上の構成とすることで、樹脂積層体フィルム１０の内部に封入された消火薬剤は全ての方向から均等かつ徐々に広がり出ることになるため、消火薬剤が反応することなく鍋底に落ちて水蒸気爆発を起こす心配がなく、安全に消火を促すことができる。
【００３０】
図４は、消火薬剤が樹脂積層体フィルム１０に封入された消火用具１００を装填するための紙製ケース２００である。ここでは、四角柱状の箱の全ての面に均一に漏出孔２１０が設けられ、その漏出孔２１０から消火薬剤が徐々に流出する構造となっている。また、漏出孔を設ける面は六面全てである必要はなく、少なくとも一対の対応する面に均等に設ければよい。ここで、対応する面とは、上面と下面、右側面と左側面、前側面と後側面である。この紙製ケース２００を用いると、ユーザがさらに消火用具１００を鍋に投入しやすくなり、また消火薬剤の流出がより均等になるため、消火活動をさらに安全に行うことが可能となる。
【００３１】
図５は、図４に示した消火用具１００が装填される紙製ケース２００の一面上にさらに中空の蒲鉾形浮き３１０を取り付ける構成である。このように構成することで、蒲鉾形浮き付き紙製ケース３００をどの方向から投入しても、鍋の中で蒲鉾形浮き部分３１０が上部になって浮くため、消火用具１００が油の表面に滞留する時間を引き延ばす役割を果たす。ここで、蒲鉾形浮き３１０は、紙製ケース２００と同素材を用いて構成されているが、特に制限されるものではなく、機能と安全性を備える任意の素材を用いてよい。
蒲鉾型浮きの形状については、三角柱でも良い。更に、半円柱でも良い。なお、従来の天ぷら火災用パックのケースが四角柱なので、同じ大きさの空のケースを重ねても良い。
【００３２】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００３３】
１０               樹脂積層体フィルム
２０，３０，４０   樹脂フィルム
１００             消火用具
１１０             端部周辺
１２０             消火薬剤封入部
２００             紙製ケース
２１０             漏出孔
３００             蒲鉾形浮き付き紙製ケース
３１０             蒲鉾形浮き
【図１】
2015037445.tif 000003
【図２】
2015037445.tif 000004
【図３】
2015037445.tif 000005
【図４】
2015037445.tif 000006
【図５】
2015037445.tif 000007